(57)【要約】【課題】具体的な地点を特定しなくとも、所望の画像に絞り込み、その中から訪れたい目的地を決めることができる画像表示システムを提供する。【解決手段】画像表示システムで１は、ユーザによって指定された画像の種類を示す絞り込み条件が移動体端末側（画像表示装置２、携帯通信端末３）からサーバ側（中間サーバ、コンテンツサーバ）に送信されると、サーバ側にて移動体端末側から送信された絞り込み条件に基づいて複数の画像を抽出する。そして、画像表示システムで１は、抽出した複数の画像がサーバ側から移動端末側に送信されると、送信された画像を移動端末側にて表示手段に表示するとともに、表示された複数の画像のうちユーザにより選択された画像に関する位置を目的地として設定する。【選択図】図１
2013253961.tif 000002
【特許請求の範囲】
【請求項１】
画像を記憶する記憶手段（６１）を有するサーバ（６）と、前記サーバ（６）から取得した複数の画像を表示する表示手段（１１、２１）を有する移動端末（２、３）と、を含む画像表示システムであって、
前記移動端末は、
画像の種類を示す絞り込み条件を入力する操作、および前記表示手段に表示される複数の画像のいずれかを選択する操作を可能とする操作入力手段（１２、２２）と、
前記操作入力手段により選択された画像に関する位置を目的地として設定する制御手段（１０、２０）と、を備え、
前記サーバは、
前記移動端末から取得した前記絞り込み条件に基づいて、複数の画像を抽出する抽出手段（６２）を備えることを特徴とする画像表示システム。
【請求項２】
前記記憶手段は、画像内容のカテゴリ、画像に対して設定されるキーワード、画像内容の名称、画像を提供したユーザ識別名、画像に対して設定されるタイトル、画像が撮像された撮像日時、および画像が登録された登録日時のうち少なくとも１つを前記画像に対応付けて記憶しており、
前記操作入力手段は、前記絞り込み条件として、前記カテゴリ、前記キーワード、前記名称、前記ユーザ識別名、前記タイトル、画像が撮像された撮像日時、および画像が登録された登録日時のうち少なくともいずれか１つ入力可能とすることを特徴とする請求項１記載の画像表示システム。
【請求項３】
前記サーバは、第１サーバ（６１）と第２サーバ（６２）とから構成され、
前記制御手段は、前記絞り込み条件に応じて、前記第１サーバから画像を取得、または前記第２サーバから画像を取得することを特徴とする請求項１または２記載の画像表示システム。
【請求項４】
前記表示手段は、取得した複数の画像を、２以上の画像を同時に表示する一覧形式、および／または、１の画像を順次切り替えて表示するスライドショー形式にて表示することを特徴とする請求項１から３のいずれか一項記載の画像表示システム。
【請求項５】
前記記憶手段は、画像に対応付けて、当該画像内容の位置、当該画像内容の提供者の位置、および当該画像を撮影した撮影位置の少なくともいずれか１つを特定可能な付加情報を記憶しており、
前記制御手段は、前記画像とともに取得した前記付加情報に基づいて、当該画像に関する位置を特定することを特徴とする請求項１から４のいずれか一項記載の画像表示システム。
【請求項６】
前記抽出手段は、前記付加情報が記憶されていない画像を抽出しないことを特徴とする請求項５に記載の画像表示システム。
【請求項７】
前記移動端末は、現在位置を取得する現在位置取得手段（１４、２５）をさらに備え、
前記操作入力手段は、前記絞り込み条件として、前記現在位置取得手段で取得した前記現在位置からの距離、または前記現在位置から到着までに予想される時間をさらに入力可能であり、
前記抽出手段は、前記付加情報に基づいて画像に関する位置を特定し、前記絞り込み条件に基づいて画像を抽出することを特徴とする請求項５又は６に記載の画像表示システム。
【請求項８】
前記制御手段は、前記目的地までの経路を案内するナビゲーション機能の実行、または外部から提供される当該ナビゲーション機能の利用が可能であり、
前記操作入力手段は、前記絞り込み条件として、前記目的地または当該目的地までの経路を基準とした所定範囲内をさらに入力可能であり、
前記抽出手段は、前記付加情報に基づいて画像に関する位置を特定し、前記絞り込み条件に基づいて画像を抽出することを特徴とする請求項５又は６に記載の画像表示システム。
【請求項９】
前記移動端末（２）は、車両用の装置として使用される車両用移動端末であり、
車両の走行状態を特定可能な車両情報を取得する車両情報取得手段を（１７）さらに備え、
前記制御手段は、前記車両情報に基づいて車両が走行中であると判定すると、前記操作入力手段からの入力、および／または、前記表示手段による表示の少なくとも一部を規制することを特徴とする請求項１から８のいずれか一項記載の画像表示システム。
【請求項１０】
前記移動端末（２）は、車両用の装置として使用される車両用移動端末であり、
前記制御手段は、携帯通信端末（３）と連携して作動するアプリケーションを実行し、当該携帯通信端末を介して前記サーバから画像を取得することを特徴とする請求項１から９のいずれか一項記載の画像表示システム。
【請求項１１】
前記操作入力手段は、前記表示手段に表示される画像を並べ替える並べ替え条件を入力する操作がさらに可能であり、
前記移動端末は、前記操作入力手段から入力された前記並べ替え条件に基づいて、前記表示手段に表示する画像を並べ替えて表示することを特徴とする請求項１から１０のいずれか一項記載の画像表示システム。
【請求項１２】
前記操作入力手段は、前記表示手段に表示される画像を並べ替える並べ替え条件を入力する操作がさらに可能であり、
前記移動端末は、前記操作入力手段から入力された前記並べ替え条件を前記サーバに送信し、
前記サーバは、前記絞り込み条件に基づいて抽出した画像を、受信した前記並べ替え条件に基づいて予め並べ替えた状態で前記移動端末に送信することを特徴とする請求項１から１１のいずれか一項記載の画像表示システム。
【発明の詳細な説明】
【技術分野】
【０００１】
本発明は、画像を記憶しているサーバと、当該サーバから取得した複数の画像を表示する移動端末とを含む画像表示システムに関する。
【背景技術】
【０００２】
ネットワークに接続されたサーバ側に写真などの画像を蓄積し、その画像を個人あるいは複数人で利用可能とする写真情報提供サービスが提供されている。このような写真情報提供サービスにおいて、例えば特許文献１では、画像およびその画像の撮影位置などの地点情報をサーバに記憶し、指定された地点における地点情報をナビゲーション装置へ提供するものが記載されている。このような構成によれば、ユーザは、例えば撮影位置まで正しく移動することが可能となる。
【特許文献１】特開２０１２−３７４７５号公報
【発明の概要】
【発明が解決しようとする課題】
【０００３】
ところで、写真情報提供サービスが行われているサーバには、数多くの画像が蓄積されている。また、近年では写真情報提供サービスを提供するコンテンツプロバイダ自体も増加しつつある。このため、ネットワーク上には膨大な数の画像が利用可能な状態で存在していることから、ユーザが機能する画像を絞り込む機能が必要とされる。
【０００４】
しかしながら、上記した特許文献１のように地点を指定して画像を絞り込む構成では、具体的な地点を特定していないユーザにとって、画像を絞り込むことが難しい。また、地点を特定したとしても、その地点に対してユーザが所望する画像が蓄積されていないおそれもある。
【０００５】
本発明は上記事情に鑑みてなされたものであり、その目的は、具体的な地点を特定しなくとも、所望の画像に絞り込み、その中から訪れたい目的地を決めることができる画像表示システムを提供することにある。
【課題を解決するための手段】
【０００６】
請求項１記載の画像表示システムでは、ユーザによって指定された画像の種類を示す絞り込み条件が移動端末からサーバに送信されると、サーバは、移動端末から送信された絞り込み条件に基づいて、複数の画像を抽出する。そして、サーバは、抽出した画像を移動端末に送信し、移動端末は、取得した画像を表示手段に表示するとともに、操作入力手段により選択された画像に関する位置を目的地として設定する。つまり、画像表示システムでは、予め位置を指定して画像を取得するのではなく、ユーザが所望する画像がまず抽出（絞り込み）され、絞り込まれた画像の中から選択された画像に関する位置が、目的地に設定される。これにより、絞り込まれた画像にはユーザが所望する画像が必ず含まれることになり、具体的な地点を特定しなくとも、ユーザが所望の画像を絞り込むことができ、その中から訪れたい目的地を決めることができる。
【図面の簡単な説明】
【０００７】
【図１】本発明の第１実施形態による画像表示システムの構成を概略的に示す図
【図２】画像表示装置の構成を概略的に示す図
【図３】携帯通信端末の構成の概略的に示す図
【図４】画像表示装置における制御の主な流れを模式的に示す図
【図５】画像表示装置のホーム画面を模式的に示す図
【図６】画像表示装置による画像表示処理の流れを示す図
【図７】画像表示装置の画像表示画面の一例を示す図
【図８】画像表示装置のテーマ選択画面の一例を示す図
【図９】画像表示装置の履歴検索画面の一例を示す図
【図１０】コンテンツサーバによる抽出処理の流れを示す図
【図１１】画像表示装置の履歴検索結果画面の一例を示す図
【図１２】画像表示装置の一覧表示画面の一例を示す図
【図１３】画像表示装置の地図設定画面の一例を示す図
【図１４】本発明の第１実施形態による画像表示装置のテーマ選択画面の一例を示す図
【図１５】画像表示装置の検索画面の一例を示す図
【図１６】画像表示装置の設定画面の一例を示す図
【発明を実施するための形態】
【０００８】
以下、本発明の複数の実施形態について、図面を参照しながら説明する。
（第１実施形態）
以下、本発明の第１実施形態について、図１から図１３を参照しながら説明する。
【０００９】
図１に示すように、画像表示システム１は、画像表示装置２、携帯通信端末３、中間サーバ５およびコンテンツサーバ６を備えている。画像表示装置２および携帯通信端末３は、特許請求の範囲に記載した移動端末を構成している。中間サーバ５およびコンテンツサーバ６は、特許請求の範囲に記載したサーバを構成している。この画像表示システム１において、移動端末（本実施形態では、画像表示装置２および携帯通信端末３）は、外部のネットワーク４を介してサーバ（本実施形態では、中間サーバ５およびコンテンツサーバ６）との間で通信可能に接続されている。また、コンテンツサーバ６は、コンテンツサーバ６ａとコンテンツサーバ６ｂとから構成されている。コンテンツサーバ６ａは特許請求の範囲に記載した第１サーバに相当し、コンテンツサーバ６ｂは特許請求の範囲に記載した第２サーバに相当する。ここで、「第１」および「第２」の記載は、画像表示システム１が異なるサーバに接続可能であることを意味するものであり、サーバの数を限定するものではない。すなわち、画像表示システム１は、３つ以上のコンテンツサーバ６を備えているものであってもよい。
【００１０】
画像表示装置２は、図示しない車両に搭載されている。つまり、移動端末のうち画像表示装置２は、本実施形態の場合、車両用の装置として使用される車両用移動端末である。この場合、画像表示装置２は、車両の例えば車室内に固定的に設けられているものに限らず、移動可能に設けられているものであってもよい。
【００１１】
まず、画像表示システム１におけるコンテンツの利用形態の概略について説明する。画像表示システム１は、コンテンツサーバ６にて提供される各種のコンテンツを利用することができる。利用できるコンテンツには、例えば、写真情報提供サービス、ＰＯＩ（Point Of Interest）検索サービス、ＳＮＳ（Social Networking Service）、音楽ストリーミングサービスなどがある。なお、これらのコンテンツは、１つのコンテンツプロバイダにより提供されているものに限らず、複数のコンテンツプロバイダにより提供されていてもよい。つまり、上記したコンテンツサーバ６ａおよびコンテンツサーバ６ｂは、それぞれ別のコンテンツプロバイダにより管理されていてもよいし、同じコンテンツプロバイダにより管理されていてもよい。以下、コンテンツサーバ６ａ、６ｂに共通の説明をする場合には、単にコンテンツサーバ６と称する。
【００１２】
さて、これらのコンテンツは、コンテンツプロバイダがそれぞれ定めたデータ形式にて提供されることが多い。そのため、画像表示システム１では、移動端末とコンテンツサーバ６との間に、各コンテンツプロバイダから様々なデータ形式で提供されるコンテンツを統一されたデータ形式に変換する中間サーバ５を設けている。
【００１３】
さて、本実施形態では、上記した各種のサービスのうち、写真情報提供サービスを対象として説明する。写真情報提供サービスとは、ユーザが投稿した写真（画像）をコンテンツサーバ６側にて記憶し、ユーザによる利用、あるいは第三者による利用を可能とするサービスである。なお、写真情報提供サービスは、写真やＣＧなどの静止画像だけでなく、ユーザが撮影した動画像も提供可能なサービスであってもよい。
【００１４】
画像表示装置２は、図２に示すように、車両側制御部１０、車両側表示部１１、車両側操作入力部１２、車両側音声入出力部１３、車両側位置取得部１４、車両側記憶部１５、車両側接続部１６、および車両情報取得部１７を有している。車両側制御部１０は、図示しないＣＰＵ、ＲＯＭおよびＲＡＭなどを有するマイクロコンピュータにて構成されており、ＲＯＭなどに記憶されているプログラムにしたがって画像表示装置２の全体を制御する。また、車両側制御部１０は、各種コンテンツを利用するためのアプリケーションであって、携帯通信端末３と連携して作動するアプリケーションの実行が可能である。また、車両側制御部１０は、後述するように目的地の設定、および設定した目的地へのナビゲーション機能も実行可能である。車両側制御部１０は、特許請求の範囲に記載した制御手段を構成している。
【００１５】
車両側表示部１１は、例えばカラー表示可能な液晶表示器や有機ＥＬ表示器あるいはプラズマディスプレイなどにより構成されている。車両側表示部１１は、例えば、画像表示装置２の操作画面やナビゲーション機能使用時の地図画面などを表示する。また、車両側表示部１１は、後述するように、検索要求時にユーザが入力するための操作画面や取得した画像の表示も行う。このとき、車両側表示部１１は、取得した画像を、２つ以上の画像を同時に表示する一覧形式や１つの画像を順次切り替えて表示するスライドショー形式にて表示する。車両側表示部１１は、特許請求の範囲に記載した表示手段を構成している。
【００１６】
車両側操作入力部１２は、車両側表示部１１に対応して設けられているタッチパネル、および車両側表示部１１の周囲に配置された接触式のスイッチなどにより構成されている。ユーザは、これらの車両側操作入力部１２から、画像表示装置２に対する操作を入力する。なお、タッチパネルとしては、例えば感圧方式、電磁誘導方式あるいは静電誘導方式など、任意の方式のものを採用することができる。車両側操作入力部１２は、車両側表示部１１とともに、特許請求の範囲に記載した操作入力手段を構成している。
【００１７】
車両側音声入出力部１３は、図示しないスピーカおよびマイクを有している。車両側音声入出力部１３は、例えば車両側記憶部１５に記憶されている楽曲や画像表示装置２からのガイド音声などの出力を行う。また、車両側音声入出力部１３は、画像表示装置２に対するユーザの音声操作などが入力される。車両側位置取得部１４は、いわゆるＧＰＳユニットやジャイロセンサなどを有しており、画像表示装置２の現在位置、より具体的には、画像表示装置２が設けられている車両の現在位置を取得する。車両側位置取得部１４は、特許請求の範囲に記載した現在位置取得手段を構成している。なお、ＧＰＳユニットなどにより現在位置を取得する手法については周知であるので、ここでは詳細な説明は省略する。
【００１８】
車両側位置取得部１４にて取得した車両の位置に基づいて、上記したように、車両側制御部１０は、車両を目的地まで案内するナビゲーション処理を実行する。つまり、本実施形態では、画像表示装置２として、いわゆるナビゲーション装置を利用している。車両側記憶部１５は、楽曲データやナビゲーション機能に用いる地図データ、および画像表示装置２にて実行される各種のアプリケーションなどを記憶している。
【００１９】
車両側接続部１６は、携帯通信端末３との間で通信を行う。本実施形態では、Ｂｌｕｅｔｏｏｔｈ（登録商標）による無線通信方式を採用している。以下、Ｂｌｕｅｔｏｏｔｈ（登録商標）をＢＴと称し、ＢＴによる接続をＢＴ接続と称する。車両側接続部１６は、例えばデータ通信用のプロファイル１６ａ（ＢＴの場合、ＳＰＰやＤＵＮなどが対応する）を有しており、それらのプロファイルを用いて携帯通信端末３と接続する。
【００２０】
車両情報取得部１７は、ＥＣＵ７に接続し、車両に関する各種の情報を取得する。車両情報取得部１７は、例えば車両の速度（以下、車速と称する）やエアコンの設定温度など車両に関する情報を取得する。これら車両情報取得部１７が取得する情報のうち、車両が走行中であるか否かを特定可能な情報が車両情報に相当する。本実施形態の場合、車両情報として、車速あるいは車両の走行状態を示す情報（例えば、パーキングブレーキがオンなら停止中、シフトレンジがパーキングなら停止中などのデータ）を採用している。車両情報取得部１７は、特許請求の範囲に記載した車両情報取得手段を構成している。
【００２１】
携帯通信端末３は、図３に示すように、端末側制御部２０、端末側表示部２１、端末側操作入力部２２、端末側音声入出力部２３、通信部２４、端末側位置取得部２５、端末側記憶部２６、および端末側接続部２７を有している。本実施形態の場合、携帯通信端末３として、いわゆるスマートフォンを想定している。端末側制御部２０は、図示しないＣＰＵ、ＲＯＭおよびＲＡＭなどを有するマイクロコンピュータにて構成されており、ＲＯＭなどに記憶されているプログラムにしたがって携帯通信端末３の全体を制御する。また、端末側制御部２０は、画像表示装置２と通信可能に接続され、連携して作動可能なアプリケーションを実行する。また、携帯通信端末３は、コンテンツサーバ６から、後述するように画像を取得するとともに、取得した画像を画像表示装置２に送信する。端末側制御部２０は、特許請求の範囲に記載した制御手段に相当する。
【００２２】
端末側表示部２１は、例えばカラー表示可能な液晶表示器や有機ＥＬ表示器などにより構成されている。端末側表示部２１には、例えば電話帳データや例えば端末側記憶部２６に記憶されている画像や映像などが表示される。端末側操作入力部２２は、端末側表示部２１に対応して設けられているタッチパネル、および端末側表示部２１の周囲に配置された接触式のスイッチなどにより構成されている。携帯通信端末３には、これらの端末側操作入力部２２から、携帯通信端末３に対する操作が入力される。なお、タッチパネルとしては、例えば感圧方式、電磁誘導方式あるいは静電誘導方式など、任意の方式のものを採用することができる。端末側操作入力部２２は、特許請求の範囲に記載した操作入力手段に相当する。
【００２３】
端末側音声入出力部２３は、図示しないマイクおよびスピーカを有しており、通話時の発話音声の入力および受話音声の出力を行う。また、端末側音声入出力部２３は、例えば端末側記憶部２６に記憶されている楽曲や映像の音声などの出力なども行う。通信部２４は、公衆回線網やネットワーク４へ接続する広域通信を行う。通信部２４は、通話やネットワーク４との間のデータの送受信などを行う。端末側位置取得部２５は、いわゆるＧＰＳユニットやジャイロセンサなどを有しており、携帯通信端末３の現在位置を取得する。なお、ＧＰＳユニットなどにより現在位置を取得する手法については周知であるので、ここでは詳細な説明は省略する。端末側記憶部２６は、電話帳データや楽曲などを記憶しているとともに、携帯通信端末３にて実行される各種のアプリケーションやユーザが保存したデータなどが記憶されている。端末側位置取得部２５は、特許請求の範囲に記載した現在位置取得手段に相当する。
【００２４】
端末側接続部２７は、画像表示装置２との間で通信を行う。本実施形態では、上記したようにＢＴによる無線通信方式を採用しており、携帯通信端末３は、画像表示装置２とＢＴ接続される。端末側接続部２７は、画像表示装置２と同様にデータ通信用のプロファイル２７ａ（本実施形態ではＳＰＰやＤＵＮなど）を有しており、それらのプロファイルを用いて画像表示装置２と接続する。なお、データ通信用のプロファイルに限らず、例えばハンズフリー通話用のプロファイル（ＢＴの場合、ＨＦＰ）などを有していてもよい。
【００２５】
コンテンツサーバ６は、図１に示すように、制御部６０、記憶部６１、抽出部６２および外部通信部６３を備えている。制御部６０は、図示しないＣＰＵ、ＲＯＭおよびＲＡＭなどを有するコンピュータにより構成されており、ＲＯＭや記憶部６１などに記憶されているコンピュータプログラムに基づいて、コンテンツサーバ６の全体を制御する。記憶部６１は、例えば後述する写真情報提供サービスにて提供するための画像など、コンテンツサーバ６にて提供される各サービスのデータを記憶している。抽出部６２は、後述するように、記憶部６１に記憶されている画像のうち、絞り込み条件に基づいて絞り込まれた画像を抽出する。本実施形態では、抽出部６２は、制御部６０により実行されるプログラムによりソフトウェア的に実現されている。抽出部６２は、特許請求の範囲に記載した抽出手段に相当する。外部通信部６３は、ネットワーク４に接続しており、携帯通信端末３を介して移動端末側および中間サーバ５との間でデータの送受信を行う。
【００２６】
次に、上記した構成の作用について説明する。なお、以下に示すフローチャートにおいては、携帯通信端末３をＳＰと記載しているとともに、画像表示装置２を主体にして説明する。
【００２７】
まず、画像表示装置２にて行われる処理の概要を図４および図５を参照して説明する。図４に示すように、画像表示装置２は、開始（車両のＡＣＣをオン）後に携帯通信端末３（ＳＰ）とＢＴ接続すると（Ａ１）、サービスを開始する（Ａ２）。ここで、ステップＡ２におけるサービスの開始とは、携帯通信端末３を介してコンテンツサーバ６から提供されるサービス（コンテンツ）を利用するために、携帯通信端末３と連携する作動を開始することである。このとき、画像表示装置２は、図５に示すように、利用するサービスＡ〜サービスＨに対応したアイコンＩ１〜Ｉ８が配置されたホーム画面を車両側表示部１１に表示する。
【００２８】
そして、ユーザは、いずれかのアイコンＩ１〜Ｉ８をタッチ操作することにより、所望のサービス（図１参照）を選択する。図５の場合、サービスＡに対応してアイコンＩ１が設けられ、サービスＢに対応してアイコンＩ２が設けられ、サービスＣに対応してアイコンＩ３などが設けられている。なお、コンテンツの種類はこれに限定されない。
【００２９】
続いて、画像表示装置２は、図４に示すように、選択されたサービスを提供可能であるか否かを判定する（Ａ３）。より具体的には、ステップＡ３では、コンテンツサーバ６から提供されるサービスを利用するための設定が行われているか否かを判定している。例えば、サービスを利用するに先立ち、アカウント情報の登録など初期設定行われているかを判定する。そして、画像表示装置２は、期設定が済んでいない場合には（Ａ３：ＮＯ）、例えばアカウント情報を入力するための登録案内画面を表示する（Ａ５）。
【００３０】
さて、画像表示装置２は、図４に示すように、初期設定が既に行われ、選択されたサービスを提供可能である場合には（Ａ３：ＹＥＳ）、ユーザ操作にしたがい、携帯通信端末３を介してコンテンツサーバ６からコンテンツを取得してサービスを提供する（Ａ４）。そして、画像表示装置２は、提供中のサービスの終了指示がユーザによりなされるまで、サービスの提供を継続する（Ａ６：ＮＯ）。一方、画像表示装置２は、ユーザにより終了指示がなされた場合には（Ａ６：ＹＥＳ）、処理を終了する。
【００３１】
このように、画像表示装置２は、ユーザにより選択されたサービスを提供する。
次に、ユーザが上記した写真情報提供サービスを選択した際の画像表示装置２の作動について、図６から図１３を参照しながら説明する。
【００３２】
画像表示装置２は、図６に示す画像表示処理を実行しており、写真情報提供サービス（例えば、図５に示すサービスＣ）に対応したアイコンＩ３が操作されると、図７に示す画像表示画面を表示する（Ｂ１）。なお、画像表示装置２は、図７に示す画像表示処理の実行中に終了操作が行われた場合や他のアプリケーションの起動操作がユーザによって行われた場合には、画像表示処理を終了する。図７に示す画像表示画面では、一例として、前回取得された画像およびこの画像に付けられたタイトル（図７では、「Ｍｔ．Ｆｕｊｉ」）が表示されている。なお、写真情報提供サービスの起動時には、予め車両側記憶部１５記憶されているサンプル画像などを表示するようにしてもよい。また、この画像表示画面には、テーマボタンＭ１、キーワードボタンＭ２、目的地ボタンＭ３、地点キープボタンＭ４、再生ボタンＭ５、およびお気に入りボタンＭ６が表示されている。
【００３３】
テーマボタンＭ１は、コンテンツサーバ６に蓄積されている画像のうち、コンテンツサーバ６にて画像を絞り込むためのテーマを選択する選択操作を入力するためのボタンである。ここで、テーマとは、例えば画像に設定されているタイトル、タグあるいはコンテンツサーバ６にて管理しているカテゴリなど、画像に対して予め設定されたキーワード、つまり、画像の種類を示す情報である。キーワードボタンＭ２は、ユーザが任意のキーワードを入力するためのボタンである。入力されたキーワードは、コンテンツサーバ６にて画像を絞り込むためのキーワードになる。これらテーマあるいはキーワードは、特許請求の範囲に記載した絞り込み条件に相当する。
【００３４】
目的地ボタンＭ３は、表示中の画像にて特定される位置を、ナビゲーション機能における車両の目的地に設定するためのボタンである。地点キープボタンＭ４は、表示中の画像にて特定される位置を、いわゆるお気に入り地点として記憶するためのボタンである。なお、これら目的地ボタンＭ３および地点キープボタンＭ４は、表示中の画像に、当該画像に関する位置を特定可能な付加情報が付与されている場合、つまり、付加情報がその画像に対応付けてコンテンツサーバ６に記憶されている場合に表示される。換言すると、目的地ボタンＭ３および地点キープボタンＭ４が表示されている画像は、画像内容により示される位置や、画像を撮像した位置などを特定可能な画像である。なお、画像内容により示される位置とは、例えば富士山を撮像した画像の場合、その画像が撮像された位置ではなく、画像に写っている富士山の位置のことである。
【００３５】
この付加情報には、例えば、画像内容のカテゴリ、画像に対して設定されるキーワード、画像内容の名称、画像を提供したユーザ識別名、画像に対して設定されるタイトル、画像が撮像された撮像日時、および画像が登録された登録日時などが含まれている。また、位置を特定可能な付加情報としては、画像内容の位置、画像内容の提供者の位置、および当該画像を撮影した撮影位置などが含まれている。より具体的には、画像内容の位置としては、主に写真データに付加される緯度と経度とを含む情報であるＥｘｉｆ規格（Exchangeable image file format規格）の「ＧＰＳに関する付属情報」（いわゆるジオタグ）を利用することなどができる。このジオタグを画像に付加する方法としては、ａ）ＧＰＳを内蔵したデジタルカメラやカメラ内蔵携帯電話機などを使用して、撮影時にジオタグも付加する方法、ｂ）単体のＧＰＳレシーバに移動経路を記録させておき、パソコン上で専用ソフトウェア等を用いて画像を撮像した撮像時刻に対応するＧＰＳレシーバの位置情報を追加する方法、ｃ）専用ソフトウェアやウェブ上のサービスを用いて、後から画像ごとに地図上の地点を手動で指定して位置情報を追加する方法、などがある。
【００３６】
再生ボタンＭ５は、取得した複数の画像を順次切り替えて表示するスライドショーの実行および停止の操作を入力するためのボタンである。お気に入りボタンＭ６は、地点キープに登録した地点、つまり、いわゆるお気に入り地点として記憶した情報を表示するためのボタンである。
【００３７】
画像表示画面を表示すると、画像表示装置２は、図６に示す画像表示処理において、テーマボタンＭ１が操作されたか（Ｂ２）、車両が走行中であるか（Ｂ１６）を判定している。画像表示装置２は、上記したように、車両情報取得部１７により車両が走行中であるかを特定可能な車両情報をＥＣＵ７から取得している。そして、画像表示装置２は、車両が走行中であると判定すると（Ｂ１６：ＹＥＳ）、後述するキーワードの入力（ステップＢ１０）を行わない。つまり、画像表示装置２は、キーワードボタンＭ２の操作を規制する走行規制を行っている。これにより、画像表示装置２は、車両走行中の安全の確保を図っている。この場合、キーワードボタンＭ２を表示しないこと（表示を規制すること）やトーンダウンさせることなどにより走行規制を行ってもよい。なお、走行規制が行われていなければ、ユーザは、キーワードつまり絞り込み条件を入力することが出来る。
【００３８】
まず、画像を取得する際の処理について説明し、その後目的地を設定する処理について説明する。
図７に示す画像表示画面においてユーザがテーマボタンＭ１を操作すると、画像表示装置２は、図６に示す画像表示処理において、テーマボタンＭ１が操作されたことから（Ｂ２：ＹＥＳ）、図８に示すテーマ画面を表示する（Ｂ３）。このテーマ画面には、キーワードとして設定可能なテーマとして、例えば「車」、「春」、「夏」、「秋」、「冬」などが予め設定されている。また、テーマ画面には、ユーザが最近使ったキーワードの履歴を表示するための「最近使ったキーワード」も表示される。なお、テーマの種類や数はこれに限定されず、スクロールバーＭ７によりスクロールさせて他のテーマを選択することもできる。ただし、このスクロールバーＭ７の操作は、上記した走行規制の対象となっている。
【００３９】
図８に示すテーマ画面においてユーザがいずれかのテーマを選択すると、具体的には、テーマの種類（例えば「車」など）が表示されている部位をタッチ操作すると、画像表示装置２は、図６に示す画像表示処理において、テーマが選択されたことから（Ｂ４：テーマ）、選択されたテーマをコンテンツサーバ６に送信する（Ｂ６）。
【００４０】
一方、図８に示すテーマ画面においてユーザが「最近使ったキーワード」を選択すると、画像表示装置２は、図６に示す画像表示処理において、キーワードが選択されたことから（Ｂ４：キーワード）、図９に示すキーワード画面を表示するとともにキーワードの選択を受け付ける（Ｂ５）。このステップＢ５では、ユーザは、キーワードを入力するのではなく、表示されたいずれかのキーワード（図９では、例えば「京都」、「花」、「星」など）を選択する。そして、画像表示装置２は、選択されたキーワードをコンテンツサーバ６に送信する（Ｂ６）。より具体的には、本実施形態の場合、画像表示装置２は、携帯通信端末３に対してキーワードを送信し、携帯通信端末３に対して、コンテンツサーバ６へキーワードを送信する処理を実行させている。そして、後述するように、携帯通信端末３が取得した画像を画像表示装置２にて表示している。
【００４１】
また、画像表示装置２は、図７に示す画像表示画面においてユーザがキーワードボタンＭ２を操作した場合には、図６に示す画像表示処理において、キーワードボタンＭ２が操作されたことから（Ｂ１０：ＹＥＳ）、ソフトウェアキーボードを表示するとともに、キーワードの入力を受け付ける（Ｂ１１）。この場合、ユーザは、任意のキーワードを入力する。ただし、上記したように、キーワード入力は走行規制の対象となっている。キーワードが入力されると、画像表示装置２は、入力されたキーワードをコンテンツサーバ６に送信する（Ｂ６）。
【００４２】
コンテンツサーバ６は、図１０に示す抽出処理を繰り返し実行しており、絞り込み条件を受信したか、つまり、ユーザにより選択されたテーマやキーワードを受信したかを判定している（Ｃ１）。コンテンツサーバ６は、絞り込み条件を受信すると（Ｃ１：ＹＥＳ）、受信した絞り込み条件に基づいて、記憶部６１に記憶している画像のうち、絞り込み条件に一致する画像を抽出する（Ｃ２）。そして、コンテンツサーバ６は、付加情報とともに抽出した画像を移動端末側に送信する（Ｃ３）。このように、コンテンツサーバ６（あるいは、中間サーバ５）は、記憶している多数の画像を、絞り込み条件に基づいて絞り込む。
【００４３】
コンテンツサーバ６から画像が送信されると、画像表示装置２は、図６に示す画像表示処理において、取得した画像を表示する（Ｂ７）。より具体的には、画像表示装置２は、画像を取得すると、まず図１０に示すような一覧表示画面を表示する。この図１０は、図９においてキーワードとして「風景」が選択されたときの一例である。この一覧表示画面には、画像のサムネイル（縮小表示）を表示する縮小表示部Ｍ８、画像に付与された付加情報としてのタイトルおよび投稿者名（ユーザ識別名）を表示するタイトル表示部Ｍ９、および、取得した画像をスライドショー表示するスライドショーボタンＭ１０が表示されている。この場合、例えば複数のＳＮＳにより写真情報提供サービスが行われている場合には、複数のＳＮＳのアカウント情報を登録することにより、一括して画像を取得することも可能である。もちろん、１つのＳＮＳを指定して画像を取得することも可能である。
【００４４】
また、一覧表示画面には、位置を特定可能な付加情報が付与されている画像については目的地ボタンＭ３および地点キープボタンＭ４も対応して表示されており、後述するように目的地の設定あるいは地点キープへの登録も可能となっている。
【００４５】
画像表示装置２は、ユーザによりいずれかの画像、例えばタイトル「夜景」の画像が選択されると、その画像を例えば図１１に示すように表示する。あるいは、画像表示装置２は、ユーザによりスライドショーボタンＭ１０が操作されると、取得した画像を順次スライドショー形式で表示する。ただし、スライドショーボタンＭ１０の操作は、走行規制の対象となっており、走行規制が行われている場合には操作が規制されている。
このように、画像表示装置２は、コンテンツサーバ６に蓄積されている画像のうち、ユーザにより選択されたテーマあるいはキーワードに基づいて、換言すると、ユーザが関心を抱く画像に絞り込まれた画像を取得するとともに、その画像を表示する。
【００４６】
次に、取得した画像に基づく目的地の設定手順について説明する。
画像を表示した画像表示装置２は、図６に示す画像表示処理において、目的地ボタンＭ３が操作されると（Ｂ８：ＹＥＳ）、上記した付加情報に基づいて、当該画像に関する位置を特定し、特定した位置を目的地に設定するとともに、図１２に示すような目的地周辺の地図画面を表示する（Ｂ９）。この地図画面には、周知のナビゲーション機能と同様に、自車両位置Ｍ１１、および目的地位置Ｍ１２が表示される。そして、画像表示装置２は、目的地までの経路を探索するとともに、車両を目的地まで案内するナビゲーション機能を実行する。なお、本実施形態では画像表示装置２がナビゲーション機能を兼ね備える構成としたが、ナビゲーション装置として画像表示装置２とは別体で構成される場合には、ナビゲーション装置に目的地の情報を渡し、ナビゲーション装置側にて経路案内を行う構成としてもよい。
【００４７】
このように、画像表示装置２は、ユーザにより選択された画像に基づいて、より厳密には、当該画像に付加されている付加画像に基づいて目的地を設定することができる。換言すると、画像表示装置２は、目的地などの位置を設定してから画像を検索するのではなく、ユーザが選択した画像を目的地に設定している。これにより、コンテンツサーバ６に蓄積されている画像のうち、ユーザが希望する風景や施設などを容易に目的地に設定することが可能となる。
【００４８】
また、画像表示装置２は、ユーザにより地点キープボタンＭ４が操作されると（Ｂ１２：ＹＥＳ）、上記した付加情報に基づいて当該画像に関する位置を地点キープに登録する（Ｂ１３）。ここで、位置とともに、画像や他の付加情報もお気に入り地点の情報として記憶してもよい。これにより、お気に入りボタンＭ６を操作してお気に入り地点の情報を呼び出すことにより、ユーザは、好きなときに画像の表示およびその位置への目的地設定を行うことが可能となる。
【００４９】
また、画像表示装置２は、上記したようにスライドショー形式での画像の表示が可能であるものの、車両が走行中であれば（Ｂ１７：ＹＥＳ）、再生ボタンＭ５の操作を受け付けない。つまり、再生ボタンＭ５は、走行規制の対象となっている。一方、画像表示装置２は、車両が走行中でなければ（Ｂ１７：ＮＯ）、ユーザによる再生ボタンＭ５の操作を受け付け（Ｂ１４：ＹＥＳ）、スライドショーの実行、あるいは実行状態であれば停止して最終画像を表示する（Ｂ１５）。
このように、画像表示装置２は、画像の取得、および取得した画像に基づいた目的地の設定を行っている。
【００５０】
以上説明した本実施形態によれば、次のような効果を得ることができる。
画像表示システム１は、ユーザによって指定された画像の種類を示す絞り込み条件が画像表示装置２からコンテンツサーバ６に送信される。このとき、コンテンツサーバ６は、画像表示装置２から送信された絞り込み条件に基づいて、その絞り込み条件に合致した複数の画像を抽出し、抽出した画像を画像表示装置２に送信する。そして、画像表示装置２、コンテンツサーバ６から取得した画像車両側表示部１１に表示し、ユーザにより選択された画像に関する位置を目的地として設定する。つまり、画像表示システム１では、ユーザが所望する画像がまず抽出（絞り込み）され、ユーザの希望に添って絞り込まれた画像の中から選択された画像に関する位置が、目的地に設定される。これにより、画像表示システム１では、絞り込まれた画像にはユーザが所望する画像が必ず含まれることになり、具体的な地点を特定しなくとも、ユーザが所望の画像を絞り込むことができ、その中から訪れたい目的地を決めることができる。
【００５１】
コンテンツサーバ６は、画像内容のカテゴリ、画像に対して設定されるキーワード、画像内容の名称、画像を提供したユーザ識別名、画像に対して設定されるタイトル、画像が撮像された撮像日時、および画像が登録された登録日時のうち少なくとも１つを画像に対応付けて付加情報として記憶している。そして、画像表示装置２は、付加情報に基づいて目的地を設定する。これにより、ユーザは、その画像がどこで撮影されたものなのかなどを調べる必要がなくなり、利便性が向上する。また、ユーザは、興味を抱いた画像の種類だけでなく、例えば友人やグループ単位で共有されている画像を素早く検索することができる。
【００５２】
画像表示システム１は、画像表示装置２は、取得した画像のうち、付加情報が付加されている画像と付加されていない画像とを、目的地ボタンＭ３および地点キープボタンＭ４の有無により識別可能としている。これにより、目的地に設定できない画像を直ぐに把握することができる。
【００５３】
画像表示システム１は、取得した複数の画像を、一覧形式および／またはスライドショー形式にて表示するので、容易にどのような画像が存在しているかを把握することができる。このとき、スライドショー形式にて表示すれば、例えばいわゆるＢＧＶ（Back Ground Video)のような使い方や、特定のキーワードに対応するプロモーションビデオのような使い方をすることができる。
【００５４】
画像表示システム１は、コンテンツサーバ６にて画像を管理する際のカテゴリ、ユーザが指定したキーワード、施設の名称、地点の名称、画像を投稿したユーザ名および画像を投稿したユーザにより設定されているタイトルなどをテーマとして設定している。これにより、ユーザは、興味を抱いた画像の種類だけでなく、例えば友人やグループを対象として画像を絞り込むことができる。
【００５５】
画像表示システム１は、取得した複数の画像を、一覧形式および／またはスライドショー形式にて表示するので、容易にどのような画像が存在しているかを把握することができる。このとき、スライドショー形式にて表示すれば、例えばいわゆるＢＧＶ（Back Ground Video)のような使い方や、特定のキーワードに対応するプロモーションビデオのような使い方をすることができる。
【００５６】
画像表示システム１は、画像表示装置２を車両用装置として適用している。そして、画像表示装置２は、車両の走行状態を特定可能な車両情報に基づいて、車両が走行中であると判定すると、車両側表示部１１への表示、および車両側操作入力部１２への操作入力の一部を規制する。これにより、走行中に例えば運転者が画面を注視してしまうことなどを抑制でき、走行中の安全性の確保が図られて快適な走行を行うことができる。
【００５７】
（第２実施形態）
以下、本発明の第２実施形態について、図１４から図１６を参照しながら説明する。第２実施形態では、表示する画像の並べ替えを行う点において、第１実施形態と異なっている。なお、画像表示システム、画像表示装置および携帯通信端末の構成は第１実施形態と共通するので、詳細な説明は省略する。
【００５８】
第２実施形態の画像表示装置２は、図１４に示すように、表示した画像の並べ替え（ソート）が可能となっている。上記したように、画像表示装置２は、位置を特定可能な付加情報が付加された画像については目的地ボタンＭ３および地点キープボタンＭ４を併せて表示する。換言すると、目的地ボタンＭ３および地点キープボタンＭ４が表示されていない画像は、その位置が特定できないことから、目的地に設定することができない画像である。そのため、画像表示装置２は、取得した複数の画像を一覧表示するとき、その画像の表示順を変更可能となっている。
【００５９】
画像表示装置２は、条件表示エリアＭ２０を表示して、ユーザによる並べ替え条件の入力を可能にしている。そして、この条件表示エリアＭ２０から入力された並べ替え条件に基づいて、画像を並べ替えている。
例えば、ユーザは、「ジオタグ付きの写真（付加情報としてジオタグが付加されている画像）」の順番で並べ替えをしたい場合には、対応するチェックボックスの部分をタッチ操作することでチェックを入れる。また、現在位置から近い順に表示させたい場合には、「現在位置から近い順に」に対応するチェックボックスにチェックを入れる。この場合、並べ替え条件は、ジオタグ付き、且つ、現在位置から近い順にとなる。
【００６０】
あるいは、ユーザは、時間情報に基づいて並べ替えをしたい場合には、「時間情報付きの写真」や、「設定日時に近い順に」に対応するチェックボックスにチェックを入れればよい。このとき、設定日時ボタンＭ２１をタッチ操作すれば、図示は省略するが、より詳細な日時の設定画面が表示される。
【００６１】
並べ替え条件が入力され、ユーザによりソートボタンＭ２２がタッチ操作されると、画像表示装置２は、並べ替え条件に基づいて画像を並べ替えて表示する。これにより、例えばジオタグ付きの画像が、現在位置から近い順に一覧表示される。つまり、目的地として設定可能な画像が、一覧の上位に表示される。したがって、画像を選択して目的地を設定する際、ユーザが所望する画像が一覧の上位に表示されて使い勝手が向上する。
【００６２】
さて、上記した例では画像表示装置２側にて並べ替えを行ったが、画像が多数存在する場合等には、画像表示装置２側の負荷が大きくなる。そのため、画像表示装置２は、並べ替え条件に合致しない画像を、検索する時点で省くことを可能としている。
具体的には、画像表示装置２は、図１５に示すように、「ジオタグ付きの写真を検索する」、「最新の写真を検索する」等の検索条件を表示する条件表示エリアＭ２３を表示する。そして、カテゴリによる検索を行う際にユーザに検索条件を設定させ、その検索条件をカテゴリとともにコンテンツサーバ６に送信する。これにより、コンテンツサーバ６にて、並べ替え条件に合致する画像だけを抽出することが可能となる。この場合、例えばジオタグが付加されていない画像は始めから取得されないので、並べ替えをする際の処理の負荷を軽減することができる。この検索条件は、特許請求の範囲に記載した絞り込み条件に相当する。
【００６３】
また、画像表示装置２は、図１６に示すように、「ジオタグ付きの写真を検索する」、「最新の写真を検索する」をさらに詳細に設定するための設定画面を個別に設けてもよい。また、他の検索条件として、例えば、現在地ではなく、設定した目的地に近い順のような検索条件を付加してもよい。
なお、これらの検索条件はあくまでも一例であり、他の検索条件を設定することも勿論可能である。また、検索条件の組み合わせも、任意に設定すればよい。例えば、「ジオタグ付きの画像」を検索条件に含めた場合、「外国の画像は除く」、「車両で到達できない場所は除く」等の他の検索条件と組み合わせてもよい。
【００６４】
このように、並べ替え条件を検索条件に設定して、予め不要な画像を省くことにより、画像表示装置２や携帯通信端末３における処理の負荷を低減することができる。また、不要な画像が省かれていることから、通信するデータ量が削減されるとともに、従量制の通信料金の場合には通信料も削減することができる。
【００６５】
（その他の実施形態）
本発明は、上記した各実施形態にて例示したものに限定されることなく、次のように変形又は拡張することができる。
第１実施形態では、移動端末が画像処理装置および携帯通信端末３で構成される例を示したが、移動端末として携帯通信端末３のみで構成してもよい。この場合、携帯通信端末３の端末側操作入力部２２から第１実施形態と同様の絞り込み条件を入力し、絞り込み条件をコンテンツサーバ６に送信してコンテンツサーバ６側で画像を抽出させ、取得した画像を端末側表示部２１に表示し、選択された１つの画像に関する位置を目的地に設定する。そして、携帯通信端末３で設定された目的地をＢＴ通信により画像表示装置２に送信し、画像表示装置２にて上述したナビゲーション機能を実行させるように構成してもよい。勿論、携帯通信端末３にて設定した目的地までのナビゲーション機能を、携帯通信端末３で行ってもよい。さらには、設定した目的地の情報をナビゲーション機能を有する外部サーバに送信し、外部サーバにナビゲーション機能を実行させ、表示のみ携帯通信端末３にて行う構成としてもよい。すなわち、本発明の移動端末は、車両用の装置に限定されない。
【００６６】
画像の取得元のコンテンツサーバ６を絞り込み条件に応じて変更してもよい。例えば、コンテンツプロバイダＡは料理に特化した画像のデータベースを備えており、コンテンツプロバイダＢは風景画像に特化した画像のデータベースを備えている。このとき、移動端末は、テーマやキーワードなど絞り込み条件の内容に応じて、コンテンツプロバイダＡから画像を取得したり、コンテンツプロバイダＢから画像を取得したりするなど、絞り込み条件に応じて取得先のコンテンツサーバ６を切り替える。また、中間サーバ５が設けられていれば、移動端末から送信された絞り込み条件に応じて、中間サーバ５が取得先のコンテンツサーバ６を切り替えるように構成してもよい。これにより、より多くの画像、あるいはより専門的な画像を取得できる可能性が高まる。
【００６７】
また、絞り込み条件として、現在位置からの距離、現在位置から到着までに予想される時間をさらに設定可能としてもよい。この場合、移動端末から絞り込み条件に加えて現在位置をコンテンツサーバ６に送信し、コンテンツサーバ６にて、取得した現在位置および絞り込み条件に合致する画像を抽出する。この場合、サーバは、記憶している画像の付加情報と受信した現在位置とを比較し、現在位置からの距離を算出したり、現在位置から画像により特定される位置までの到達予想時間を算出することなどにより、絞り込み条件に合致する画像を抽出する。この場合、コンテンツサーバ６は、移動端末が画像表示装置２（つまり、車両用装置）であれば、車速に基づいて到達予想時間を算出すればよい。あるいは、コンテンツサーバ６は、移動端末が携帯通信端末３であれば、徒歩あるいは公共交通機関などを利用した場合の到着予想時間を算出すればよい。例えば、散歩やドライブに行く場合に画像表示装置２を利用した際に、現在位置から遠く離れた位置（例えば外国）の画像を表示してもそこまで移動できないことがある。そこで、現在位置からの距離を絞り込み条件に追加することで、移動可能な範囲内の位置の画像にさらに絞り込むことができ、有用性が向上する。この場合、ナビゲーション機能を利用する際の目的地または当該目的地までの経路を基準とした予め設定されている範囲内を設定可能としてもよい。
【００６８】
第１実施形態では、付加情報が付与されているか否かに関わらず絞り込み条件に合致した画像をコンテンツサーバ６にて抽出する構成としたが、付加情報が付与されていない画像についてはコンテンツサーバ６にて抽出しないようにしてもよい。これにより、画像に関する位置の特定が困難な画像、つまり、目的地として設定するのが困難な画像を抽出対象から除外することができる。
【００６９】
第２実施形態では画像表示装置２にて並べ替えを行ったが、画像表示装置２と連携して作動する携帯通信端末３にて並べ替えを行い、その結果を画像表示装置２に表示させてもよい。また、並べ替え条件をコンテンツサーバ６に送信し、コンテンツサーバ６側にて並べ替えを行わせ、並べ替えられた画像を取得する構成としてもよい。そのような構成によれば、画像表示装置２や携帯通信端末３における処理の付加をさらに低減することができる。
【００７０】
画像表示装置２を携帯通信端末３と連携して作動させることにより、例えば携帯通信端末３側で取得した画像を画像表示装置２に転送したり、画像表示装置２で取得した画像を携帯通信端末３に転送したりさせてもよい。例えば、目的地まで車で移動してそこから徒歩移動するような場合や、携帯通信端末３の所有者がレンタカーを利用する場合などに有用である。
【００７１】
各実施形態では画像表示装置２と携帯通信端末３との間の通信方式としてＢｌｕｅｔｏｏｔｈ（登録商標）を示したが、これに限定されない。例えばいわゆるＷｉｆｉなどの無線ＬＡＮや、ＵＳＢを無線化したＷｉｒｅｌｅｓｓ  ＵＳＢなど他の無線通信方式を採用してもよいし、ＵＳＢなどの有線通信方式を採用してもよい。
【符号の説明】
【００７２】
図面中、１は画像表示システム、２は画像表示装置（移動端末）、３は携帯通信端末（移動端末）、５は中間サーバ（サーバ）、６はコンテンツサーバ（サーバ）、６ａはコンテンツサーバ（第１サーバ）、６ｂはコンテンツサーバ（第１サーバ）、１０は車両側制御部（制御手段）、１１は車両側表示部（表示手段）、１２は車両側操作入力部（操作入力手段）、１４は車両側位置取得部（現在位置取得部）、１７は車両情報取得部（車両情報取得手段）、２０は端末側制御部（制御手段）、２１は端末側表示部（表示手段）、２２は端末側操作入力部（操作入力部）、２５は端末側位置取得部（現在位置取得部）、６１は記憶部（記憶手段）、６２は抽出部（抽出手段）を示す。
【図１】
2013253961.tif 000003
【図２】
2013253961.tif 000004
【図３】
2013253961.tif 000005
【図４】
2013253961.tif 000006
【図５】
2013253961.tif 000007
【図６】
2013253961.tif 000008
【図７】
2013253961.tif 000009
【図８】
2013253961.tif 000010
【図９】
2013253961.tif 000011
【図１０】
2013253961.tif 000012
【図１１】
2013253961.tif 000013
【図１２】
2013253961.tif 000014
【図１３】
2013253961.tif 000015
【図１４】
2013253961.tif 000016
【図１５】
2013253961.tif 000017
【図１６】
2013253961.tif 000018